(57)【要約】【課題】高温整髪機器のための付属品の提供。【解決手段】高温整髪機器（１０）のための付属品（１５０、３５０）を開示し、この機器は、流体入口（４０）と、ファンユニット（７０）と、ヒータ（８０）と、流体入口からファンユニット及びヒータを通過する流体流路（５０）とを含む本体（２０）と、流体出口を有する概ね管状の外壁を含むヘッド部（３０、２８０）と、を備え、流体出口は、概ね管状の外壁に少なくとも部分的に沿って延びるとともに、使用時に本体と流体連通して、流体入口に吸い込まれた流体のための流体出口（１００）を提供し、付属品は、機器に取り付けられた時に少なくとも部分的に流体出口に沿って延びる細長部材（１６０、３６０）を備える。【選択図】図６
2016016328.tif 000002
【特許請求の範囲】
【請求項１】
高温整髪機器のための付属品であって、前記機器は、
流体入口と、ファンユニットと、ヒータと、前記流体入口から前記ファンユニット及び前記ヒータを通過する流体流路とを含む本体と、
流体出口を有する概ね管状の外壁を含むヘッド部と、
を備え、前記流体出口は、前記概ね管状の外壁に少なくとも部分的に沿って延びるとともに、使用時に前記本体と流体連通して、前記流体入口に吸い込まれた流体のための流体出口を提供し、
前記付属品は、前記機器に取り付けられた時に少なくとも部分的に前記流体出口に沿って延びる細長部材を備え、該細長部材は、前記ヘッド部の前記外壁よりも幅広である、
ことを特徴とする付属品。
【請求項２】
高温整髪機器のための付属品であって、前記機器は、
流体入口と、ファンユニットと、ヒータと、前記流体入口から前記ファンユニット及び前記ヒータを通過する流体流路とを含む本体と、
流体出口を有する概ね管状の外壁を含む、剛毛のないヘッド部と、
を備え、前記流体出口は、前記概ね管状の外壁に少なくとも部分的に沿って延びるとともに、使用時に前記本体と流体連通して、前記流体入口に吸い込まれた流体のための流体出口を提供し、
前記付属品は、前記機器に取り付けられた時に少なくとも部分的に前記流体出口に沿って延びる細長部材を備え、該細長部材は、前記ヘッド部の前記外壁よりも幅広である、
ことを特徴とする付属品。
【請求項３】
前記細長部材は、前記外壁の周囲の４分の１にわたって広がる、
ことを特徴とする請求項１又は２に記載の付属品。
【請求項４】
前記細長部材は、前記外壁の周囲の少なくとも３分の１にわたって広がる、
ことを特徴とする請求項３に記載の付属品。
【請求項５】
前記細長部材は、前記概ね管状の外壁を越えて広がる、
ことを特徴とする請求項１から４のいずれかに記載の付属品。
【請求項６】
高温整髪機器のための付属品であって、前記機器は、
流体入口と、ファンユニットと、ヒータと、前記流体入口から前記ファンユニット及び前記ヒータを通過する流体流路とを含む本体と、
流体出口を有する概ね管状の外壁を含むヘッド部と、
を備え、前記流体出口は、前記概ね管状の外壁に少なくとも部分的に沿って延びるとともに、使用時に前記本体と流体連通して、前記流体入口に吸い込まれた流体のための流体出口を提供し、
前記付属品は、前記機器に取り付けられた時に少なくとも部分的に前記流体出口に沿って延びる細長部材を備え、該細長部材は、前記概ね管状の外壁を越えて広がる、
ことを特徴とする付属品。
【請求項７】
前記付属品は、該付属品を前記機器に取り付けるためのカフ部を備える、
ことを特徴とする請求項１から６のいずれかに記載の付属品。
【請求項８】
前記細長部材は、冷却壁を備える、
ことを特徴とする請求項１から７のいずれかに記載の付属品。
【請求項９】
前記細長部材は、二重スキン壁で形成される、
ことを特徴とする請求項８に記載の付属品。
【請求項１０】
前記細長部材は、外壁及び内壁を備える、
ことを特徴とする請求項８又は９に記載の付属品。
【請求項１１】
前記外壁と前記内壁の間に空気チャネルが設けられる、
ことを特徴とする請求項１０に記載の付属品。
【請求項１２】
前記細長部材は、前記流体出口の長さに沿って前記ヘッド部から実質的に均等に離間する、
ことを特徴とする請求項１から１１のいずれかに記載の付属品。
【請求項１３】
高温整髪機器のための付属品であって、前記機器は、
流体入口と、ファンユニットと、ヒータと、前記流体入口から前記ファンユニット及び前記ヒータを通過する流体流路とを含む本体と、
流体出口を有する概ね管状の外壁を含むヘッド部と、
を備え、前記流体出口は、前記概ね管状の外壁に少なくとも部分的に沿って延びるとともに、使用時に前記本体と流体連通して、前記流体入口に吸い込まれた流体のための流体出口を提供し、
前記付属品は、前記機器に取り付けられた時に前記流体出口に少なくとも部分的に沿って延びて前記ヘッド部から間隔を空ける細長部材を備える、
ことを特徴とする付属品。
【請求項１４】
前記細長部材と前記外壁との間に、５ｍｍ〜１０ｍｍの間隙が設けられる、
ことを特徴とする請求項１３に記載の付属品。
【請求項１５】
前記細長部材は、前記ヘッド部に対する第２の位置を有する、
ことを特徴とする請求項１から１４のいずれかに記載の付属品。
【請求項１６】
前記細長部材は、前記第２の位置において前記機器から線形に変位する、
ことを特徴とする請求項１５に記載の付属品。
【請求項１７】
前記細長部材は、前記第２の位置に付勢される、
ことを特徴とする請求項１５又は１６に記載の付属品。
【請求項１８】
前記付属品は、前記高温整髪機器に回転自在に取り付け可能である、
ことを特徴とする請求項１から１７のいずれかに記載の付属品。
【請求項１９】
高温整髪機器のための付属品であって、前記機器は、
流体入口と、ファンユニットと、ヒータと、前記流体入口から前記ファンユニット及び前記ヒータを通過する流体流路とを含む本体と、
流体出口を有する概ね管状の外壁を含むヘッド部と、
を備え、前記流体出口は、前記概ね管状の外壁に少なくとも部分的に沿って延びるとともに、使用時に前記本体と流体連通して、前記流体入口に吸い込まれた流体のための流体出口を提供し、
前記付属品は、前記機器に取り付けられた時に少なくとも部分的に前記流体出口に沿って延びる細長部材を備え、前記付属品は、前記高温整髪機器に回転自在に取り付け可能である、
ことを特徴とする付属品。
【請求項２０】
ヘアケア機器のための付属品であって、前記機器は、
流体入口と、ファンユニットと、ヒータと、前記流体入口から前記ファンユニット及び前記ヒータを通過する流体流路とを含む本体と、
流体出口を有する概ね管状の外壁を含むヘッド部と、
を備え、前記流体出口は、前記概ね管状の外壁に少なくとも部分的に沿って延びるとともに、使用時に前記本体と流体連通して、前記流体入口に吸い込まれた流体のための流体出口を提供し、
前記付属品は、前記機器に取り付けられた時に少なくとも部分的に前記流体出口に沿って延びる細長部材を備え、該細長部材は、前記ヘッド部の前記外壁よりも幅広である、
ことを特徴とする付属品。
【請求項２１】
高温整髪機器であって、
流体入口と、ファンユニットと、ヒータと、前記流体入口から前記ファンユニット及び前記ヒータを通過する流体流路とを含む本体と、
流体出口を有する概ね管状の外壁を含むヘッド部と、
付属品と、
を備え、前記流体出口は、前記概ね管状の外壁に少なくとも部分的に沿って延びるとともに、使用時に前記本体と流体連通して、前記流体入口に吸い込まれた流体のための流体出口を提供し、
前記付属品は、前記機器に取り付けられた時に少なくとも部分的に前記流体出口に沿って延びる細長部材を備え、該細長部材は、前記ヘッド部の前記外壁よりも幅広である、
ことを特徴とする付属品。
【請求項２２】
前記流体出口は、前記概ね管状の外壁に沿って延びる少なくとも１つのスロットを備える、
ことを特徴とする請求項２１に記載の機器。
【請求項２３】
前記少なくとも１つのスロットは、前記概ね管状の外壁の第１の端部と、前記概ね管状の外壁の第２の端部との重なりによって形成される、
ことを特徴とする請求項２２に記載の機器。
【請求項２４】
前記流体出口から放出された前記流体は、前記外壁の外面に引き付けられる、
ことを特徴とする請求項２２又は２３に記載の機器。
【請求項２５】
前記スロットは、前記壁に正接する、
ことを特徴とする請求項２２又は２３に記載の機器。
【請求項２６】
前記少なくとも１つのスロットは、前記壁の周囲に螺旋構造として形成される、
ことを特徴とする請求項２２から２５のいずれかに記載の機器。
【発明の詳細な説明】
【技術分野】
【０００１】
本発明は、高温整髪機器などのヘアケア機器のための付属品に関する。
【背景技術】
【０００２】
従来の高温整髪機器では、ファンユニットによって入口に空気が吸い込まれ、付属品又はヘッド部によって毛髪の方に向けられる。空気は、所望の髪形に応じて加熱されることも、又はされないこともある。多くの場合、ヘッド部又は付属品は剛毛を含み、この剛毛に毛髪を巻き付け保持して整髪を行う。空気は、一般にヘッド部又は付属品からこのヘッド部又は付属品の表面に対して直角に吹き出る。
【０００３】
一般的に、ヘアアイロンは、ハンドルから延びる加熱部と、毛髪を保持するためのクランプ部とを有する。毛髪を加熱部の周囲に巻き付けた後にクランプ部を用いて毛先をクリップ留めし、又は毛先をクリップ留めした後に毛髪をヘアアイロンの周囲に巻き付ける。このクリップ留めにより、毛髪がカール状にセットされるまで毛髪の位置が維持される。
【０００４】
ストレートヘアアイロンは、従来、毛髪を挟み付けた後に乾かしながら引っ張るために使用する２つの概ね平らな加熱パッド、或いは毛髪に引張力を加えながらほぐす剛毛付きのパッドと平面パッドのいずれかとヘッド部とを有する。
【０００５】
これらの両方の例では、毛髪が直接加熱される。
【発明の概要】
【課題を解決するための手段】
【０００６】
本発明は、高温整髪機器のための付属品を提供する。
【０００７】
この高温整髪機器は、
流体入口と、ファンユニットと、ヒータと、流体入口からファンユニット及びヒータを通過する流体流路とを含む本体と、
流体出口を有する概ね管状の外壁を含むヘッド部と、
を備え、流体出口は、概ね管状の外壁に少なくとも部分的に沿って延びるとともに、使用時に本体と流体連通して、流体入口に吸い込まれた流体のための流体出口を提供することが好ましい。
【０００８】
この付属品は、高温整髪機器に取り付けられた時に少なくとも部分的に流体出口に沿って延びる細長部材を含むことが好ましい。１つの実施形態では、細長部材が本体に取り付けられる。或いは、細長部材は、本体に隣接して、或いは本体から見たヘッド部の遠位端又はその付近においてヘッド部に取り付けられる。重要な特徴は、細長部材が流体出口に沿って延びる点である。
【０００９】
ヘッド部は、剛毛を含まず、換言すれば、ヘッド部は非剛毛状又は無剛毛状であることが好ましい。
【００１０】
従って、１つの実施形態では、本発明は、高温整髪機器のための付属品を提供し、この機器は、
流体入口と、ファンユニットと、ヒータと、流体入口からファンユニット及びヒータを通過する流体流路とを含む本体と、
流体出口を有する概ね管状の外壁を含む、剛毛のないヘッド部と、
を備え、流体出口は、概ね管状の外壁に少なくとも部分的に沿って延びるとともに、使用時に本体と流体連通して、流体入口に吸い込まれた流体のための流体出口を提供し、
付属品は、機器に取り付けられた時に少なくとも部分的に流体出口に沿って延びる細長部材を備える。
【００１１】
剛毛のないヘッド部とは、毛髪に係合して毛髪を保持するとともに毛髪をほぐすための、ヘッド部から延びる剛毛を含まないヘッド部のことである。
【００１２】
ヒータは、機器の本体内に配置され、従ってユーザが触れることはできない。ユーザは、機器から流出した流体にしか接触しない。
【００１３】
細長部材は、遮熱材又は熱障壁として機能し、すなわち流体出口とユーザの皮膚との間に位置して、流体出口から流出した高温流体が皮膚に直接触れるのを防ぐ。細長部材は、流体を毛髪の方にさらに戻す。
【００１４】
細長部材は、ヘッド部の概ね管状の外壁よりも幅広であることが好ましい。細長部材は、概ね管状の外壁を越えて広がる。細長部材は、ヘッド部の直径よりも大きな幅を有する。外壁が非円筒形である場合、細長部材は、外壁の最大直径よりも広いことが好ましい。
【００１５】
細長部材は、概ね管状の外壁の周囲の４分の１にわたって広がり、すなわち概ね管状の外壁が概ね円形である場合、細長部材は、概ね管状の外壁の円周の約９０°に広がることが好ましい。細長部材は、概ね管状の外壁の周囲の少なくとも３分の１にわたって広がることが好ましい。従って、概ね管状の外壁が概ね円形である場合、細長部材は、ヘッド部の円周回りに約１２０°広がることが好ましい。
【００１６】
同じく高温整髪機器のための付属品を提供し、この機器は、
流体入口と、ファンユニットと、ヒータと、流体入口からファンユニット及びヒータを通過する流体流路とを含む本体と、
流体出口を有する概ね管状の外壁を含むヘッド部と、
を備え、流体出口は、概ね管状の外壁に少なくとも部分的に沿って延びるとともに、使用時に本体と流体連通して、流体入口に吸い込まれた流体のための流体出口を提供し、付属品は、機器に取り付けられた時に少なくとも部分的に流体出口に沿って延びる細長部材を備え、この細長部材は、概ね管状の外壁を越えて広がる。
【００１７】
細長部材が弓形である場合、細長部材は、概ね管状の外壁よりも大きな曲率半径を有する。細長部材は、概ね長方形とすることも、或いは湾曲した側面を含む扁平部分を有することもできる。
【００１８】
細長部材は、概ね管状の外壁と共通の中心を有することが好ましい。
【００１９】
概ね管状の外壁を越えて広がることにより、加熱された流体が細長部材の縁部周辺に流れてユーザが不快になるほど皮膚表面に近付くリスクが大幅に減少する。
【００２０】
好ましい実施形態では、付属品が、細長部材に取り付けられたカフ部(cuff)をさらに含む。このカフ部は、付属品を機器の本体又はヘッド部に取り付けるための手段を提供する。
【００２１】
細長部材は、高温整髪機器に取り付けられた時に、ヘッド部に対する第１の位置を有することが好ましい。この第１の位置では、細長部材がヘッド部の概ね管状の外壁と実質的に平行に延びることが好ましい。
【００２２】
或いは、この第１の位置は、ヘッド部の概ね管状の外壁に対して角度を成す。細長部材は、ヘッド部に向かって又はヘッド部から離れて角度を成すことができる。第１の位置では、細長部材がヘッド部の概ね管状の外壁から間隔を空けることが好ましい。細長部材は、流体出口の長さに沿ってヘッド部から実質的に均等に間隔を空けることが好ましい。
【００２３】
同じく高温整髪機器のための付属品を提供し、この機器は、
流体入口と、ファンユニットと、ヒータと、流体入口からファンユニット及びヒータを通過する流体流路とを含む本体と、
流体出口を有する概ね管状の外壁を含むヘッド部と、
を備え、流体出口は、概ね管状の外壁に少なくとも部分的に沿って延びるとともに、使用時に本体と流体連通して、流体入口に吸い込まれた流体のための流体出口を提供し、
付属品は、機器に取り付けられた時に流体出口に少なくとも部分的に沿って延びてヘッド部から間隔を空ける細長部材を備える。
【００２４】
細長部材と概ね管状の外壁との間には、５ｍｍ〜１０ｍｍの間隙が設けられることが好ましい。
【００２５】
１つの実施形態では、付属品が、細長部材と流体出口の間に存在する毛髪の挟み付け、把持又は締め付けを行わず、すなわち細長部材と概ね管状の外壁との間に毛髪を位置付けて整髪することができる。
【００２６】
或いは、細長部材は、毛先の把持又は挟み付けを行うこともできる。この実施形態は、ヘッド部が剛毛のないものである時に特に適用可能である。細長部材は、剛毛の把持機能を有する。
【００２７】
付属品は、毛髪を挟み付けるように適合されることが好ましい。従って、付属品は、乾燥及び整髪のために毛髪を適所に保持する。
【００２８】
本発明は、高温整髪機器に対する第２の位置を有する細長部材を備えた付属品も提供する。この第２の位置では、細長部材がヘッド部の概ね管状の外壁に対して角度を成すことが好ましい。或いは、細長部材は、この第２の位置において機器から線形的に変位する。この第２の位置は、第１の位置よりもヘッド部から離れていることが好ましい。従って、ヘッド部と付属品の間の距離は、第１の位置の場合よりも第２の位置の場合の方が大きい（ｌａｒｇｅｒ，  ｂｉｇｇｅｒ  ｏｒ  ｇｒｅａｔｅｒ）。
【００２９】
細長部材は、第１の位置と第２の位置の間で移動可能であることが好ましい。細長部材は、第１の位置と第２の位置の間で枢動することが好ましい。或いは、細長部材は、ヘッド部に向かって又はヘッド部から離れて変位する。細長部材は、第１の位置と第２の位置の間の多くの異なる位置に配置することができる。
【００３０】
好ましい実施形態では、細長部材が、付属品を機器のヘッド部又は本体に取り付けるためにカフ部に対して移動及び／又は枢動する。
【００３１】
同じく高温整髪機器のための付属品を提供し、この機器は、
流体入口と、ファンユニットと、ヒータと、流体入口からファンユニット及びヒータを通過する流体流路とを含む本体と、
流体出口を有する概ね管状の外壁を含むヘッド部と、
を備え、流体出口は、概ね管状の外壁に少なくとも部分的に沿って延びるとともに、使用時に本体と流体連通して、流体入口に吸い込まれた流体のための流体出口を提供し、
付属品は、機器に取り付けられた時に少なくとも部分的に流体出口に沿って延びる細長部材を備え、この細長部材は、ヘッド部に対する第１の位置と、ヘッド部に対する第２の位置とを有し、細長部材は、第１の位置と第２の位置の間で移動可能である。
【００３２】
同じく高温整髪機器のための付属品を提供し、この機器は、
流体入口と、ファンユニットと、ヒータと、流体入口からファンユニット及びヒータを通過する流体流路とを含む本体と、
流体出口を有する概ね管状の外壁を含むヘッド部と、
を備え、流体出口は、概ね管状の外壁に少なくとも部分的に沿って延びるとともに、使用時に本体と流体連通して、流体入口に吸い込まれた流体のための流体出口を提供し、
付属品は、機器に取り付けられた時に少なくとも部分的に流体出口に沿って延びる細長部材を備え、この細長部材は、ヘッド部に対する第１の位置と、ヘッド部に対する第２の位置とを有し、細長部材は、第１の位置と第２の位置の間で枢動可能である。
【００３３】
１つの実施形態では、細長部材が第２の位置に付勢される。従って、細長部材は、外力を受けなければ第２の位置に存在するようになる。
【００３４】
付属品は、高温整髪機器に取り外し可能に取り付けることも、又は恒久的に取り付けることもできる。
【００３５】
付属品は、取り外し可能に取り付けられた場合、保管のために、及び整髪中に取り外すことができ、すなわち整髪中に細長部材をさらに取り付けることもできる。
【００３６】
１つの実施形態では、カーリングを行うためにヘッド部が使用され、ヘッド部の周囲に毛髪を巻き付けて、加熱、乾燥及びカール状へのセットが行われる。この巻き付け過程は、ユーザの好み次第で細長部材を取り付けた状態で行うことも、又は取り付けない状態で行うこともできる。
【００３７】
細長部材は、恒久的に取り付けられた場合には、巻き付けのために第２の位置に付勢され、その後巻き付けが終了したら第１の位置に移動することが好ましい。
【００３８】
細長部材の第２の位置から第１の位置への移動は、細長部材がユーザの頭部に接することによって行われることが好ましい。従って、細長部材は、自動的に第１の位置に移動し、使用時には熱障壁及び熱偏向部として保護を行う。
【００３９】
付属品は、恒久的に又は取り外し可能に取り付けられて、高温整髪機器に対する単一の位置を有することもでき、すなわち、付属品は取り付け時に固定される。この実施形態では、間隙が５ｍｍよりも大きいことが好ましく、約１０ｍｍであることが好ましい。或いは、細長部材と概ね管状の外壁との間に少なくとも１０ｍｍの間隙が設けられる。これにより、整髪目的で高温整髪機器のヘッド部上に毛髪を操作するのに十分な空間が与えられる。
【００４０】
付属品は、開放位置及び閉鎖位置の一方又は両方を有すると見なすことができる。開放位置は、毛髪のヘッド部への巻き付け及びヘッド部からの解放を行う時の位置である。閉鎖位置は、毛髪の巻き付け、解放及び任意に挟み付けに使用することができる。開放位置では、細長部材がヘッド部に対して角度を成し、又はヘッド部から線形に変位する。閉鎖位置では、細長部材がヘッド部と平行である。付属品は、開放位置に付勢されることが好ましい。
【００４１】
本発明は、高温整髪機器に回転自在に取り付け可能な付属品も提供する。この実施形態でも、付属品は、高温整髪機器に取り外し可能に又は恒久的に取り付けられる。従って、細長部材は、乾燥及び整髪過程中に毛髪が操作されている時に、ヘッド部の概ね管状の外壁の周囲で回転することができる。
【００４２】
同じく高温整髪機器のための付属品を提供し、この機器は、
流体入口と、ファンユニットと、ヒータと、流体入口からファンユニット及びヒータを通過する流体流路とを含む本体と、
流体出口を有する概ね管状の外壁を含むヘッド部と、
を備え、流体出口は、概ね管状の外壁に少なくとも部分的に沿って延びるとともに、使用時に本体と流体連通して、流体入口に吸い込まれた流体のための流体出口を提供し、
付属品は、機器に取り付けられた時に少なくとも部分的に流体出口に沿って延びる細長部材を備え、付属品は高温整髪機器に回転自在に取り付け可能である。
【００４３】
ヘッド部の周囲における付属品の回転は、付属品の例えば細長部材に加わる、又は付属品を機器に取り付けるカフ部に加わる力によって自動的に、及び／又は手動操作によって実現される。
【００４４】
付属品は、ヘッド部の周囲で完全に回転することも、或いはヘッド部の周囲で部分的に回転することもできる。
【００４５】
流体出口は、概ね管状の外壁の周囲に少なくとも部分的に延びることが好ましい。流体出口は、概ね管状の外壁に沿って延びる少なくとも１つのスロットを含むことが好ましい。流体出口は、概ね管状の外壁に沿って延びる複数のスロットを含むことが好ましい。これらのスロットは、概ね管状の外壁の周囲で均等に間隔を空けることができる。流体出口は、ヘッド部及び／又は本体の長手方向に直交して延びることが好ましい。或いは、流体出口は、ヘッド部及び／又は本体の長手方向に直交せずに延びる。従って、流体出口は、ヘッド部及び／又は本体の長手方向の周囲で螺旋状又はツイスト状になる。
【００４６】
流体出口から放出される流体は、概ね管状の外壁の表面に引き付けられることが好ましい。流体出口から放出される流体は、概ね管状の外壁の外面の周囲を流れることが好ましい。この種のヘッド部では、毛髪が高温整髪機器のヘッド部の周囲に自動的に巻き付く。毛髪がヘッド部の周囲に巻き付くように、毛髪の挟み付けは行われないことが好ましい。しかしながら、付属品は、毛髪を、好ましくは毛先を挟み付け、毛髪を適所に保持して操作するためにも使用される。
【００４７】
本発明の別の態様は、高温整髪機器のための付属品を提供し、この高温整髪機器は、
流体入口と、ファンユニットと、ヒータと、流体入口からファンユニット及びヒータを通過する流体流路とを含む本体と、
概ね管状の外壁と、この概ね管状の外壁に少なくとも部分的に沿って延びる流体出口とを有するヘッド部と、
を備え、流体出口は、概ね管状の外壁に沿って延びる少なくとも１つのスロットを含み、この少なくとも１つのスロットは、概ね管状の外壁の第１の端部と外壁の第２の端部との重なりによって形成され、概ね管状の外壁は曲率半径を有し、
付属品は、機器に取り付けられた時に少なくとも部分的に流体出口に沿って延びる細長部材を備える。
【００４８】
概ね管状の外壁は、少なくとも２つのプレートによって形成されることが好ましい。少なくとも２つのプレートのうちの第１のプレートは、概ね管状の外壁の第１の端部を含むことが好ましい。少なくとも２つのプレートのうちの第２のプレートは、概ね管状の外壁の第２の端部を含むことが好ましい。少なくとも２つのプレートのうちの第１のプレートは、スロットの半径方向内側面を定めることが好ましい。少なくとも２つのプレートのうちの第２のプレートは、スロットの第１の半径方向外側面を定めることが好ましい。
【００４９】
少なくとも２つのプレートは、概ね管状の外壁に沿って長手方向に延びるとともに、この管体の周囲で半径方向に広がることが好ましい。スロットは、概ね管状の外壁に沿って長手方向に延びることが好ましい。
【００５０】
スロットは、概ね管状の外壁に正接することが好ましい。流体出口から流出した流体は、スロットの半径方向内側面に沿って流れることが好ましい。スロットの半径方向内側面は、概ね管状の外壁の第１の端部と、概ね管状の外壁の第２の端部との重なりの下流端に達した時にヘッド部の外面になる。流体はヘッド部の周囲を流れて、流体出口の一部を形成するいずれかのさらなるスロットから流出した流体と組み合わさる。流体出口から流出した流体は、半径方向内側面の線をたどるように促されてヘッド部の周囲における流れを形成し、この流れが毛髪をヘッド部の方に引き寄せて、付属品の周囲で毛髪を流体流の方向に巻き付ける。
【００５１】
ヘッド部は、ｎ個のスロットと、ｎ個のプレートとを備えることが好ましい。外壁の第１の端部及び第２の端部の一方は、スロットの厚みを定めるスペーサを含むことが好ましい。このスペーサは、外壁の第２の端部が有することが好ましい。外壁に沿って、長手方向に離間して一対のスペーサが設けられることが好ましい。あらゆるスペーサは、２つの部品間に間隙を維持して、スロット又はスロットの厚みを形成する。
【００５２】
少なくとも１つのスロットは、概ね管状の外壁の周囲に螺旋構造として形成されることが好ましい。この螺旋構造は、流体流の方向に時計回りであることが好ましい。或いは、この螺旋構造は、流体流の方向に反時計回りである。スロットは、付属品の長手方向に対し１°〜８９°の角度で配置されることが好ましい。スロットは、付属品の長手方向に対し１０°〜７０°の角度で配置されることが好ましい。スロットは、付属品の長手方向に対し３０°〜６０°の角度で配置されることが好ましい。スロットは、付属品の長手方向に対し４５°の角度で配置されることがさらに好ましい。
【００５３】
曲線状のスロットは、流体が流体出口から流出する方向を変化させて、ヘッド部の表面に対して直角に近い流れをもたらす傾向にあり、これによってヘッド部の周囲における毛髪の保持が改善される。
【００５４】
少なくとも１つのプレートは、材料で裏打ちされることが好ましい。この材料は、音及び／又は振動を吸収することが好ましい。この材料は、ケブラー又はウールであることが好ましい。
【００５５】
付属品は、細長部材を高温整髪機器に取り付けるためのカフ部をさらに含むことが好ましい。
【００５６】
１つの実施形態では、このカフ部が、高温整髪機器の本体に取り付けられる。
【００５７】
別の実施形態では、カフ部が、高温整髪機器のヘッド部に取り付けられる。
【００５８】
カフ部は、本体又はヘッド部の周囲に少なくとも部分的に延びる。付属品がヘッド部の周囲で完全に回転できる実施形態では、カフ部がヘッド部の周囲に連続して延びることが好ましい。
【００５９】
付属品は、長手方向における付属品と高温整髪機器の相対的位置を定めるように高温整髪機器上の対応する機構と協働するよう適合された位置決め機構を有することが好ましい。
【００６０】
この機構は、付属品を高温整髪機器の長さに沿った同じ位置に反復的に位置付けることができる。従って、流体出口の所望の長さが確実に細長部材によって覆われるようになる。実際には、細長部材は、高温整髪機器のヘッド部を越えて長手方向に延びることが好ましい。
【００６１】
従って、本発明のさらなる態様は、流体出口を越えて長手方向に延びるように適合された細長部材を備えた付属品を提供する。
【００６２】
本発明の別の態様は、ヘアケア機器のための付属品を提供し、この機器は、
流体入口と、ファンユニットと、ヒータと、流体入口からファンユニット及びヒータを通過する流体流路とを含む本体と、
流体出口を有する概ね管状の外壁を含むヘッド部と、
を備え、流体出口は、概ね管状の外壁に少なくとも部分的に沿って延びるとともに、使用時に本体と流体連通して、流体入口に吸い込まれた流体のための流体出口を提供し、
付属品は、機器に取り付けられた時に少なくとも部分的に流体出口に沿って延びる細長部材を備える。
【００６３】
同じく高温整髪機器が提供され、この機器は、
流体入口と、ファンユニットと、ヒータと、流体入口からファンユニット及びヒータを通過する流体流路とを含む本体と、
流体出口を有する概ね管状の外壁を含むヘッド部と、
付属品と、
を備え、流体出口は、概ね管状の外壁に少なくとも部分的に沿って延びるとともに、使用時に本体と流体連通して、流体入口に吸い込まれた流体のための流体出口を提供し、
付属品は、機器に取り付けられた時に少なくとも部分的に流体出口に沿って延びる細長部材を備える。
【００６４】
流体出口は、概ね管状の外壁に沿って延びる少なくとも１つのスロットを備えることが好ましい。
【００６５】
少なくとも１つのスロットは、概ね管状の外壁の第１の端部と、概ね管状の外壁の第２の端部との重なりによって形成されることが好ましい。
【００６６】
流体出口から放出された流体は、壁の外面に引き付けられることが好ましい。
【００６７】
流体出口から放出された流体は、壁の外面の周囲を流れることが好ましい。
【００６８】
壁は、少なくとも２つのプレートによって形成されることが好ましい。少なくとも２つのプレートのうちの第１のプレートは、壁の第１の端部を含むことが好ましい。少なくとも２つのプレートのうちの第２のプレートは、壁の第２の端部を含むことが好ましい。少なくとも２つのプレートのうちの第１のプレートは、スロットの半径方向内側面を定めることが好ましい。少なくとも２つのプレートのうちの第２のプレートは、スロットの半径方向外側面を定めることが好ましい。
【００６９】
壁は、少なくとも２つのプレートによって形成され、これらの少なくとも２つのプレートは、管体に沿って長手方向に延びるともに、管体の周囲で半径方向に広がることが好ましい。
【００７０】
スロットは、管体に沿って長手方向に延びることが好ましい。スロットは、壁に正接することが好ましい。
【００７１】
流体出口から流出した流体は、スロットの半径方向内側面に沿って流れることが好ましい。
【００７２】
ｎ個のスロットとｎ個のプレートとを有するのが好ましい。
【００７３】
壁の第１の端部及び第２の端部の一方は、スロットの厚みを定めるスペーサを含むことが好ましい。このスペーサは、壁の第２の端部が有することが好ましい。壁に沿って、長手方向に離間して一対のスペーサが設けられることが好ましい。
【００７４】
少なくとも１つのスロットは、壁の周囲に螺旋構造として形成されることが好ましい。
【００７５】
以下、添付図面を参照しながら本発明を一例として説明する。
【図面の簡単な説明】
【００７６】
【図１ａ】本発明の付属品を取り付けることができる高温整髪機器の例を示す図である。
【図１ｂ】図１ａに示す高温整髪機器の断面図である。
【図２ａ】本発明による第１の付属品の等角図である。
【図２ｂ】本発明による第１の付属品の等角断面図である。
【図３ａ】第１の付属品の拡大断面図である。
【図３ｂ】第１の付属品の拡大断面図である。
【図４ａ】高温整髪機器に取り付けた本発明による付属品の配向を示す図である。
【図４ｂ】高温整髪機器に取り付けた本発明による付属品の配向を示す図である。
【図４ｃ】高温整髪機器に取り付けた本発明による付属品の配向を示す図である。
【図５ａ】図４ａの付属品の断面図である。
【図５ｂ】図４ａの付属品の別の断面図である。
【図６】高温整髪機器に取り付けた第２の位置にある付属品を示す図である。
【図７ａ】付属品の断面図である。
【図７ｂ】図７ａの部分Ｂの拡大図である。
【図８ａ】回転自在な付属品の態様を示す図である。
【図８ｂ】回転自在な付属品の別の態様を示す図である。
【図８ｃ】回転自在な付属品の別の態様を示す図である。
【図８ｄ】回転自在な付属品の別の態様を示す図である。
【図８ｅ】異なる配向にある図８ｄの回転自在な付属品を示す図である。
【図９ａ】異なる位置及び／又は配向にある図８ａの回転自在な付属品を示す図である。
【図９ｂ】異なる位置及び／又は配向にある図８ａの回転自在な付属品を示す図である。
【図９ｃ】異なる位置及び／又は配向にある図８ａの回転自在な付属品を示す図である。
【図１０ａ】別の付属品を示す図である。
【図１０ｂ】別の付属品を示す図である。
【図１０ｃ】別の付属品を示す図である。
【図１０ｄ】別の付属品を示す図である。
【図１１ａ】異なる位置にある別の付属品を示す図である。
【図１１ｂ】異なる位置にある別の付属品を示す図である。
【発明を実施するための形態】
【００７７】
図１ａ及び図１ｂに、ハンドル２０と、このハンドル２０の流体入口４０に対する遠位端２２に取り付けられた取り外し自在なヘッド部３０とを含む高温整髪機器１０を示す。この高温整髪機器１０は、本発明による付属品と共に使用できる種類の機器の一例であるが、本発明は、付属品がこの特定の機器と共に使用されることに限定されるものではない。この機器は、流体入口、流体出口、流体入口に流体を引き込むためのファンユニット、及び流体が機器から流出する前に流体を加熱するためのヒータしか必要としない。
【００７８】
ハンドル２０は外壁２６を有し、この外壁２６は概ね管状であるとともに、一方の端部２４に、この端部２４に隣接して流体入口４０を含む。流体入口４０は、ハンドル２０の周囲にハンドル端部２４からハンドルの外壁２６に沿って半径方向に広がる第１の一連の開口部４４を含む。ハンドル端部２４は端壁４２によって覆われ、この端壁４２にも、ハンドルの端壁４２を貫いて広がる第２の一連の開口部４６が穿孔される。従って、流体入口４０は、ハンドル２０の周囲に、ハンドル２０に沿って、ハンドル２０を横切って広がる。端壁４２は、ハンドルの外壁２６及び内壁６０と直交する。
【００７９】
ハンドル２０は、ファンと、このファンを駆動するとともに、使用時に流体入口４０からハンドル２０の全長を通じて延びる流体流路５０に沿って流体を引き込むモーターとを有するファンユニット７０も含む。流体は、ヘッド部３０の内部キャビティ３８に入り込む前に任意にヒータ８０によって加熱される。
【００８０】
ヘッド部３０は流体出口１００を含み、この例では、流体出口１００が、各々がヘッド部の第２の端部３６に向かってヘッド部３０の周囲に半径方向に広がる平行スロット１０２を有する。この構成により、流体がヘッド部の全周及びヘッド部３０の長さの大部分にわたってヘッド部から流出し、製品の整髪領域を最大にすることができる。
【００８１】
使用時には、ヘッド部３０の周囲に毛髪が巻き付けられた状態で、スロット１０２から空気又は流体が流出して毛髪を乾かし、及び／又は毛髪をカール状又はウェーブ状に整髪する。毛髪は、ヘッド部３０の表面周囲の空気流によって自動的に巻き付く。空気又は流体は加熱することもできるが、これは必須ではない。
【００８２】
この高温整髪機器には、好ましくはプラグ又はその他の電源からハンドル２０の端壁４２を貫いて延びる動力ケーブル４８を介して電力が供給される。ハンドル２０は、内部配線（図示せず）によってケーブル４８、ファンユニット７０及びヒータ８０と電気的に接続されたＰＣＢ７５も収容する。ユーザが様々な温度及び流量設定の１つを選択できるように、オン／オフスイッチ５２及び制御ボタン５４が設けられてＰＣＢ７５に接続される。
【００８３】
ハンドル２０は管状であり、ハンドル２０の外壁２６は円筒形スリーブである。ハンドルは、第１の端部２２においてヘッド部３０に接続し、遠位側の第２の端部２４には流体入口４０が設けられる。流体入口４０は、流体流路５０に入り込む流体を濾過する第１の手段である。
【００８４】
流体入口４０は、ハンドル２０の周囲に、ハンドル２０に沿って、ハンドル２０を横切って広がる複数の開口部を含む。３次元に広がる入口を有することは、特に整髪機器と共に使用する際に有利である。第１に、スイッチがオンの状態で機器を表面上に置いた場合、入口表面積のわずかな部分しか塞がれず、又は機器内への流体流が制限されない。これにより、ファンユニットが、特にファンユニットのモーターが作動する際の流量が少なすぎて、モーターが過熱し損傷することが防がれる。
【００８５】
第２に、ヘアケア機器は、ムース、ジェル又はスプレーなどの整髪用品と共に使用されることが多い。これらの製品は、通常は手で、又はミストとして直接毛髪に使用される。手で使用した後には製品の一部が皮膚上に残り、その後に機器を保持した時に機器に移る。これにより、ハンドル２０に沿ってハンドル２０の周囲に広がる開口部４４の少なくとも一部が塞がれる可能性がある。しかしながら、ハンドルの下方でハンドルの端壁４２を横切って広がる開口部４６には影響が及ばない。製品をミストとして使用する場合、これが機器に付着し、やはり流体入口４０の開口部の少なくとも一部が塞がれ又は制限される可能性がある。しかしながら、ハンドル２０の周囲に、ハンドル２０に沿って、ハンドル２０を横切って広がる開口部を有することにより、流体入口４０が塞がれるリスクは減少する。
【００８６】
開口部は、直径が０．２ｍｍ〜１．６ｍｍの円形であることが好ましい。開口部の直径は、ハンドル２０に沿って、ハンドル２０の周囲で、ハンドル２０を横切って変化することができる。これらの開口部は、流体入口４０の周囲で、流体入口４０に沿って、流体入口４０を横切って規則的に離間させることが有利である。このことは視覚的に美しいだけでなく、一部が塞がれる可能性が高い、又はこれによって流体入口４０内への流れに対する影響が強くなると思われる流体入口４０の弱い領域が存在しないという技術的利点も有する。入口は、少なくともハンドル２０の円周回りにおける入口内への流れが均等になるように設計される。
【００８７】
使用時にハンドル２０の第２の端部２４に挿入される発泡体ブロック５８が設けられる。発泡体ブロック５８は、主流体入口４０を通過して主流体流路５０に入り込む流体を濾過する第２の手段である。発泡体ブロック５８は、主流体入口４０を越えて、或いはさらにハンドルの第１の端部２２に向かって延び、これによって主流体入口４０に入り込んだ流体が発泡体ブロック５８を通過し、従って二段階濾過を受けることを確実にすることが有利である。
【００８８】
図示の発泡体ブロック５８は円筒形であり、主流体入口４０におけるハンドル２０内の領域を実質的に満たす。これは、ハンドルの周囲にハンドルに沿って広がる第１の開口部４４を通じて主流体入口に入り込む全ての流体、及びハンドル２０の端壁４２を横切って端壁４２を貫いて広がる第２の開口部４６を通じて入り込む流体が、この第２の濾過段階を通過することを確実にするためである。発泡体ブロック５８は、ハンドル２０の第２の端部２４から、主流体入口４０の第１の開口部４２よりも遠くまで長手方向に延びる。
【００８９】
次に、図２ａ、図２ｂ、図３ａ及び図３ｂを特に参照しながら、ヘッド部３０の流体出口１００についてさらに詳細に説明する。ヘッド部３０は基本的に円筒形であり、ハンドル２０に接続するための第１の端部３２と、第１の端部３２の遠位側にある第２の端部３６とを有する。ヘッド部３０は、ハンドル２０によって説明した線（図１ａ）に連続して第１の端部３２から第２の端部２６に長手方向に延び、従って直径がハンドルとほぼ同一である。ヘッド部３０内には内部キャビティ３８が存在し、ファンユニット７０によってハンドル２０内の流体流路５０に引き込まれた流体は、ヘッド部３０の第１の端部３２における開口部３０２を介して内部キャビティ３８に入り込む。
【００９０】
流体出口１００は、ヘッド部３０の全長に沿って第１の端部３２から第２の端部３６に延びる複数の平行スロット１０２で形成される。スロット１０２は、隣接するプレート１１０間に形成される重複部１２０（図３ｂ）によって形成され、この結果、第１のプレート１１０ａの外面１１２によって形成される半径方向内側面１０４と、第２のプレート１１０ｂの内面１１４によって形成される半径方向外側面１０６との間に流体が向けられるようになる。スロット１０２から流出する流体１２２は、プレート１１０ａの外面１１２に正接１３０し、流体出口１００の他のスロットから流出する流体に加わって、ヘッド部３０の円周回りに流体流を形成する。従って、流体１２２はヘッド部の外面に沿って吹き出され、これにより毛髪が自動的にヘッド部３０の周囲に巻き付くように促される。
【００９１】
プレート１１０は、流体出口１００が貫通して延びるヘッド部３０の外壁１８４を形成する。
【００９２】
スロット１０２から流出する流体１２２は、コアンダ効果によってヘッド部３０の曲面に引き付けられる。この結果、ヘッド部３０に曝された毛髪が自動的に表面の周囲に巻き付き、これによってカール状に整髪される。毛髪の長さに沿って空気が吹き付けられるので、濡れた毛髪が従来よりも素早く乾き、剛毛を使用せずに巻き付け過程が行われるので、毛髪が乾燥又は整髪された時点でヘッド部３０から外れることができ、従ってもつれることがない。
【００９３】
各スロット１０２のサイズを維持するためにスペーサ１０８が設けられる。この例では、一対のスペーサ１０８を設けて各スロット１０２のサイズを維持している。この一対のスペーサ１０８の各々は、スロット１０２及びプレート１１０に沿って長手方向に離間する。スペーサ１０８は、隣接するプレート１１０同士を結合する。
【００９４】
各プレート１１０は、ケブラー又はウールなどのフェルト状材料３０８（図３ｂ参照）で裏打ちされることが有利である。材料３０８は、各スロット１０２上には広がらず、従って流体出口１００から流出する流体は材料層３０８を通過しない。この層は、流体が開口部３０２におけるヘッド部３０への入口から流体出口１００までヘッド部３０を貫流することによって生じる騒音の一部を吸収する役割を果たす。このような材料層３０８は、ヘッド部１３０、１８０及び２３０などの、本明細書で説明する他のヘッド部にも適用可能である。
【００９５】
次に、図４ａ、図４ｂ、図４ｃ、図５ａ及び図５ｂを特に参照すると、付属品１５０は、ヘッド部２８０に沿って延びる遮熱材又は細長部材１６０を含む。付属品１５０は、ハンドル２０の周囲のヘッド部２８０の付近に位置するカフ部１７０を介して高温整髪機器１０に取り外し自在に取り付けられる。細長部材１６０は、ヘッド部２８０の長さに沿って延び、細長部材１６０とヘッド部２８０の外壁２８４との間に一定の距離又は間隙ｄ（図５ａ）を維持する。
【００９６】
第１の実施形態では、付属品１５０がヘッド部２８０に対して固定されて間隙又は距離ｄが定められ、従って付属品１５０を高温整髪機器１０に取り付けた状態でヘッド部２８０の周囲に毛髪を巻き付けることも、或いは毛髪を巻き付けた後に付属品１５０を高温整髪機器１０に取り付けることもできる。両タイプの機能性を実現するために、間隙又は距離ｄは約１０ｍｍである。間隙又は距離ｄを減少させた場合、付属品１５０が適所にある時の付属品１５０の周囲における毛髪の巻き付け作用が損なわれる。毛髪を巻き付けた後にのみ付属品が取り付けられる場合には、距離ｄを約５ｍｍ又はそれ以下に減少させることができる。
【００９７】
第２の実施形態では、付属品１５０が、図４ａ、図４ｂ、図４ｃ、図５ａ及び図５ｂに示す第１の位置と図６に示す第２の位置との間でヘッド部２８０に対して移動可能である。第２の位置では、細長部材１６０がヘッド部２８０に対して角度を成しており、ヘッド部２８０の外壁２８４と細長部材との間の距離又は間隙ｄ’は、カフ部１７０から細長部材の遠位端１５２にかけて変化する。この例では、間隙又は距離ｄ’が約１０ｍｍまで増加する。この例では、この制限された間隙又は距離ｄ’が、ヘッド部２８０の長さに沿ってわずかな距離しか延びないので、付属品を毛髪の巻き付け前に取り付けるか、巻き付け中に取り付けるか、それとも巻き付け後に取り付けるか関わらず、ヘッド部のハンドル端部２３２の付近にわずかな間隙又は距離ｄ’を許容することができる。
【００９８】
この例のヘッド部２８０は、ヘッド部２８０がハンドル２０に比べて小さな直径を有する点で、図１ａ、図１ｂ、図２ａ及び図２ｂに関連して説明したヘッド部３０と異なる。第１の端部３２は、ハンドル２０に接続できるようにハンドル２０と実質的に同じ直径を有し、その後頸部２３２内において、ヘッド部２８０の直径は、スロット２８２によって形成される流体出口２００の手前で減少して小径になり、その後第２の端部２３６まで一定の直径が続く。このヘッド部２８０は、ヘッド部３０よりも小さめのカールを形成するために使用される。
【００９９】
また、スロット２８２は、ヘッド部２３０の周囲で曲線を描いてヘッド部２８０の周囲に渦巻き又は螺旋パターンを形成する。スロット２８２は、ハンドル２０及びヘッド部２８０の長手方向軸Ａ−Ａから４５°の角度αだけ曲がる（図５ａ）。この例では、スロット２８２が、ヘッド部２８０の第１の端部３２からヘッド部の第２の端部２３６に向かって時計回り方向に曲がる。スロット２８２は、隣接する重複プレート２１０間に上述したように形成されるが、プレート２１０は、曲線状のスロット２８２を形成するために、ヘッド部２８０の長手方向軸に沿って延びるのではなく、やはり４５°の角度だけ曲がる。角度の付いたスロットを用いると、ヘッド部から流出する流体のプロファイルが変化する。角度の付いたスロットを用いると、スロットから流出する空気流がスロットに対して直角に近くなる。これにより、より多くの毛髪がヘッド部の周囲に巻き付くとともに毛髪をより簡単にヘッド部上に保持することができて整髪過程が潜在的に迅速になることを含む利点が得られる。
【０１００】
スロットは、ハンドル２０の長手方向軸Ａ−Ａから時計回り方向に曲がることも、又は反時計回り方向に曲がることもできる。４５°の角度を示したが、たとえ１°の角度であっても改善された巻き付けが見られる。
【０１０１】
付属品１５０は、ハンドル２０に取り付けた形で示しているが、ヘッド部２８０の第１の端部３２に隣接して取り付けることも、第２の端部２３６に隣接して取り付けることも、又は頸部２３２内に取り付けることもできる。
【０１０２】
付属品１５０は、枢動軸１９０を介して第１の位置から第２の位置に、又はその逆に移動する。ここで図７ａ、図７ｂを参照すると、付属品２５０がバネ２５２によって第２の位置に向かって付勢されており、付属品２５０は、力Ｆが加えられた時にのみ図示のような第１の位置に近付き又は移動する。この力は、例えばユーザの頭部などの数多くの物体のいずれかによって加えることも、或いは手動で加えることもできる。この力は比較的小さく、数ニュートンとすることができる。例えば高温整髪機器から毛髪を取り除き、又は付属品をユーザの頭部から遠ざけることによって力Ｆを除去すると、付属品２５０はバネ２５２の作用によって第２の位置に戻り、すなわち付属品が開いて別の毛髪部分又は房をカールできる状態になる。
【０１０３】
次に、図８ａ、図８ｂ、図８ｃ及び図８ｄを参照すると、付属品３５０が、カフ部３７０に接続された細長部材３６０を有する。付属品３５０は、ヘッド部及び高温整髪機器に対し、付属品３５０がヘッド部（図示せず）と概ね平行になる図示のような第１の位置に静止することも、或いはこの第１の位置から、付属品３５０がヘッド部に対して角度を成す（図９ａに示す）第２の位置に移動することもできる。
【０１０４】
この実施形態では、細長部材３６０が、取り付け先の機器の周囲でさらに回転することができる。細長部材３６０は、カフ部３７０が描く弧の周囲で部分的に回転することができる。
【０１０５】
カフ部３７０は、細長部材３６０のための接続部材３６２が配置されるチャネル３７２を有する。この例では、チャネル３７２と接続部材３６２がＴ字形であり、これにより、接続部材３６２が誤ってカフ部から外れることなくカフ部の周囲で確実に回転できるようになる。図８ｅに、回転位置３６０’にある細長部材を示す。細長部材は、手動で回転することも、或いは毛髪の巻き付けによって細長部材３６０に作用する半径方向力ＦRによって回転することもできる。
【０１０６】
この回転の態様は、第１の位置に静止している、すなわち付属品を取り付けた時にヘッド部と平行に横たわっているだけの付属品に対して使用することも、或いは図９ａ、図９ｂ及び図９ｃに示すように、付属品を第１の平行な位置からヘッド部に対して角度を成す第２の位置に移動させる能力と共に使用することもできる。接続部材３６２は、第１の位置３５０と第２の位置３５０’の間の移動を可能にするために、枢動接合部１９０を介して細長部材３６０に結合される。細長部材３６０は、付属品が第２の位置３５０’だけでなく第１の位置３５０にある状態でも回転位置３６０’に移動することができる。
【０１０７】
次に、図１０ａ、図１０ｂ及び図１０ｃを参照して分かるように、接続部材３６２が図１０ｄに示すような回転位置３６０’に移動できるようにカフ部３３０が溝３３２と共に完全な円形であることにより、付属品３２０は、ヘッド部の周囲で完全に回転することができる。上述したように、付属品は、ヘッド部に対して実質的に平行な配向で、すなわち第１の位置３５０に静止又は固定することも、或いはこの第１の位置から、（図１１ａ及び図１１ｂに示すように）付属品３２０’がヘッド部に対して角度を成す第２の位置に移動することもできる。第１の位置と第２の位置の間の枢動を可能にするために、接続部材３６２は、枢動接合部３８０を介して細長部材３６０に接続される。
【０１０８】
この例では、ヘッド部の概ね管状の外壁又は本体の外壁にカフ部３３０を押し込むことによって付属品３２０がヘッド部又は本体に取り付けられる。所望の長さの流体出口が付属品に覆われることを確実にするために、奥まった溝と対応するサイズの茎部などの位置決め機構を用いて付属品３２０をヘッド部又は本体に対して反復的に位置付けることができる。
【０１０９】
ここで図５ａ、図５ｂ及び図７ａを参照すると、細長部材は、細長部材による遮熱を高める冷却壁を有することができる。細長部材１５０、２５０は、それぞれ外壁１５４、２５４及び内壁１５６、２５６を有する二重スキン壁として形成される。それぞれの外壁１５４、２５４と内壁１５６、２５６との間には、空気チャネル１５８、２５８が設けられる。空気チャネル１５８、２５８は熱障壁であり、流体出口から流出した高温流体からの熱が付属品１５０、２５０の外壁１５４、２５４に伝わるのを制限する。
【０１１０】
或いは、細長部材に沿っていずれかの方向に延びる、ユーザが直接表面に触れるのを防ぐリブを用いて冷却壁効果を達成することもできる。
【０１１１】
付属品は、ポリカーボネート、ＰＥＳ（ポリエーテルスルホン）、又はＰＳＵ（ポリスルホン）、ナイロン、ガラス充填ＰＢＴ（ポリブチレンテレフテレート）などの多くの材料で作成することができる。１つの実施形態では、少なくとも細長部材が透明又は半透明である。付属品は、機器に押し込んで装着又は配置するように示したが、当業者には、付属品を機器にクリップ留めすることなどの別の方法が明らかであろう。
【０１１２】
付属品は、各位置の間で枢動するように示したが、代案として、付属品を機器と平行に移動させ、機器に向けて又は機器から離れて変位させることもできる。
【０１１３】
高温整髪機器に関して本発明を詳細に説明したが、本発明は、流体を引き込んでこの機器からの流体の流出を導く、ヘアドライヤを含むあらゆる機器に適用することができる。
【０１１４】
機器は、ヒータの有無に関わらず使用することができ、流体を高速で流出させる作用には乾燥及び整髪効果がある。
【０１１５】
機器内を流れる流体は、一般的には空気であるが、１又は複数種の気体の異なる組み合わせとすることもでき、機器の性能、或いは出力が向けられる毛髪などの物体及びこの毛髪のスタイリングに機器が及ぼす影響を改善するための添加剤を含むこともできる。
【０１１６】
本発明は、上述の詳細な説明に限定されるものではない。当業者には、変形例が明らかであろう。
【符号の説明】
【０１１７】
２０  ハンドル
１５２  遠位端
１６０  細長部材
１７０  カフ部
１９０  枢動軸
２８０  ヘッド部
２８４  外壁
【図１ａ】
2016016328.tif 000003
【図１ｂ】
2016016328.tif 000004
【図２ａ】
2016016328.tif 000005
【図２ｂ】
2016016328.tif 000006
【図３ａ】
2016016328.tif 000007
【図３ｂ】
2016016328.tif 000008
【図４ａ】
2016016328.tif 000009
【図４ｂ】
2016016328.tif 000010
【図４ｃ】
2016016328.tif 000011
【図５ａ】
2016016328.tif 000012
【図５ｂ】
2016016328.tif 000013
【図６】
2016016328.tif 000014
【図７ａ】
2016016328.tif 000015
【図７ｂ】
2016016328.tif 000016
【図８ａ】
2016016328.tif 000017
【図８ｂ】
2016016328.tif 000018
【図８ｃ】
2016016328.tif 000019
【図８ｄ】
2016016328.tif 000020
【図８ｅ】
2016016328.tif 000021
【図９ａ】
2016016328.tif 000022
【図９ｂ】
2016016328.tif 000023
【図９ｃ】
2016016328.tif 000024
【図１０ａ】
2016016328.tif 000025
【図１０ｂ】
2016016328.tif 000026
【図１０ｃ】
2016016328.tif 000027
【図１０ｄ】
2016016328.tif 000028
【図１１ａ】
2016016328.tif 000029
【図１１ｂ】
2016016328.tif 000030